(57)【要約】      （修正有）【課題】一人でも簡単・容易かつスッキリと体裁よく着せ付けることができるドレス型佛衣を提供する。【解決手段】遺体の前面の首から下の全部を覆う前身頃１と襟４と両袖５と遺体の後面の首から下の全部を覆う左・右後身頃とを一連に仕立ててなるドレス型佛衣であり、各結着テープを外し襟および左・右後身頃を左右に全開きにした状態で遺体の正面の首から下の全身を覆うように被せ、腕を袖に通し、遺体の各部を順に起しつつ襟および左・右後身頃を遺体の後面に差し込んで、襟および左・右後身頃の各相対結着テープを結着することによって、一人でも極めて簡単容易に体裁よくスッキリと着せ付けが出来るようにする。【選択図】図１
0003155203.tif 000002
【実用新案登録請求の範囲】
【請求項１】
遺体の前面の首から下の全部を覆う前身頃と、該前身頃の上端の首周りに延設した詰襟状の襟と、前身頃の上端肩先の袖付から左右に延設した両袖と、前身頃の左右に延設して遺体の後面の首から下の全部を覆う左・右後身頃とを一連に仕立て、
前記襟の遺体の首後にまわした左・右端に結着テープを取付けると共に、左・右後身頃の縁部に沿い間隔を置いて結着テープを取付けて、襟の左・右端および左・右後身頃の縁部の各相対する結着テープを着脱自在に備えて、襟および後身頃を左右に全開き出来るように備えてなるドレス型佛衣であり、
前記ドレス型佛衣の襟および左・右後身頃の各結着テープを外し、襟および左・右後身頃を左右に全開きにした状態で、該ドレス型佛衣をその前身頃を中心として遺体の正面の首から下の全身を覆うように被せ、左・右の腕を左・右の袖に通し、遺体の各部を順に起しつつ襟および左・右後身頃を遺体の後面に差し込んで、襟および左・右後身頃の各相対結着テープを結着して、遺体にドレス型佛衣を着せ付けるように備えたことを特徴とする、ドレス型佛衣。
【請求項２】
両袖は、腕を通し易くするために全体を広く備え、特に衿付の辺りを広く備えたことを特徴とする、請求項１のドレス型佛衣。
【請求項３】
前記の各相対して備えた結着テープは、少なくてもその一方を設定寸法の横長に備えて、その設定寸法の範囲で結着位置を調整することにより、遺体の肥満型、痩せ型等に合わせて着せ付け出来るようにしたことを特徴とする、請求項１のドレス型佛衣。
【請求項４】
前記ドレス型佛衣の設定位置に装飾を施したことを特徴とする、請求項１のドレス型佛衣。
【考案の詳細な説明】
【技術分野】
【０００１】遺体の前面の首から下の全部を覆う前身頃と、該前身頃の上端の首周りに延設した詰襟状の襟と、前身頃の上端肩先の袖付から左右に延設した両袖と、遺体の後面の首から下の全部を覆う左・右後身頃とを一連に仕立ててなるドレス型佛衣であり、襟および左・右後身頃の各結着テープを外し、襟および左・右後身頃を左右に全開きにした状態で、該ドレス型佛衣を遺体の正面の首から下の全身を覆うように被せ、左・右の腕を左・右の袖に通し、遺体の各部を順に起しつつ襟および左・右後身頃を遺体の後面に差し込んで、襟および左・右後身頃の各相対結着テープを結着することによって、女性一人でも極めて簡単容易に、その上、体裁よくスッキリと着せ付けが出来るようにしたことを特徴とする、女性の正装ドレス風に仕立てた、主として女性用のドレス型佛衣に係る。
【背景技術】
【０００２】従来、葬儀で遺体に着せる衣装は佛衣（ぶつい）、経帷子（きょうかたびら）、寿衣（じゅい）等（以下、佛衣と記する。）といわれ、最も一般的に、浴衣のような仕上げの裏地を付けない単（ひとえ）のものが使用されている。
前記従来佛衣は、極めて長年月に亘って、ごく当たり前のこととして使用されてきたものである一方で、一般にはあまり知られていないが、葬儀関係者（業者等）の側からすると種々の課題があった。【０００３】また、葬儀関係者にとって、遺体についての下記（１）〜（４）の現象は避けて通れない前提であるので、常に、これらに対応することが求められているのである。
（１）遺体は、死後、数時間で硬直する。
（２）硬直すると、特に、腕、手、足などが曲り難くなる。
（３）死後、体重が重くなる。
（４）顔の変色、特に首から胸先にかけての変色が目立つようになる。【０００４】従来佛衣の着せ付けの通常例（１）
１．臥所に横たわる遺体を脇に移したのち、臥所に従来佛衣を前開きに展開しておき、次いで遺体を元の臥所の従来佛衣の中心に降ろし、それから従来佛衣の左右前身頃を合わせる順に行うものであるが、
２．まず、臥所に横たわる遺体を脇に移すのに、硬直し、重くなっているため、頭部、脚部、若しくは胴部を支えて持ち上げ移動するのに２〜３人が必要である。
３．臥所から移した遺体を、一時だけとはいえ畳の上に直に置くわけにもいかないので、仮置き用に何らかの用意が必要である。
４．次に、前開きに展開した左右前身頃を合わせて着せ付ける。
５．前記のように移し変え着せ替えの作業には、男手でも２〜３人必要であった。【０００５】通常例（２）
１．特に、遺体が女性である場合は、女性が着せ替えを行う場合が多く、また、施主側から望まれることが多いが、上記の作業方式は女性だけでは中々大変なばかりでなく、女性の人手が足りない場合もある。
２．その場合は、遺体を臥所から移さず、その場で行うのであるが、例えば、遺体の右側の肩先、腰、脚を順に持ち上げて、従来佛衣の左側の半分を手先で遺体の背中の中ごろまで差し込み、次いで、遺体の左側の肩先、腰、脚を順に持ち上げて、従来佛衣の左側の半分を左側に引き出し、左右前身頃を合わせて着せ付ける。
３．前記の肩先等を持ち上げて、佛衣を手先で遺体の背中に差し込む作業には、女性１人では困難であり、少なくても２人は必要であった。【０００６】上記従来佛衣の着せ付けは、通常、前記のように行っているが、従来佛衣は前あき、前合わせであるため、種々個人差の有る上に、前記死後硬直などの問題もあって、遺体に、恰も生きている人が着ているように、スッキリと体裁よく着せ付けるのは、複数の人手を要するばかりでなく、中々困難な作業であり、その容易化、効率化が課題であった。【０００７】遺体は死後時間の経過で、顔の変色、特に首から胸先にかけての変色が顕著であるが、この点、従来佛衣は首から胸先にかけての部分がＶ形に明くため、首から胸先にかけての部分の変色が目立ってしまう課題があった。
【先行技術文献】
【特許文献】
【０００８】
【特許文献１】特開２０００−１５４４０３号公報
【特許文献１】特開２０００−１５４４０４号公報
【特許文献１】特開２０００−１５４４０５号公報
【考案の概要】
【考案が解決しようとする課題】
【０００９】上記従来佛衣は、通常、前開き・前合わせであるため、遺体に種々個人差が有る上に前記死後硬直などの問題もあって、恰も生きている人が着ているように、スッキリと体裁よく着せ付けるには複数の人手を要するばかりでなく、中々困難な作業であり、その容易化、効率化が課題であった。
特に、遺体が女性である場合は、女性が着せ替えを行う場合が多く、また、施主側から望まれることが多いが、上記の作業は女性だけでは中々大変なばかりでなく、女性の人手が足りない課題があった。【００１０】そこで本考案は、上記の佛衣の着せ付けを、例えば、女性一人でも簡単・容易かつスッキリと体裁よく出来るようにして、従来の着せ付けの大変さを画期的に緩和させることを大きな課題とし、その課題を有効に解決したものである。【００１１】即ち、本考案に係るドレス型佛衣は、前記従来を和風佛衣とすれば洋風の佛衣として考案し、主として女性用として、女性の正装のドレスのように、上品さ、ある程度の華やかさ、清楚さ等を併せ持ったドレス型（タイプ）にデザイン制作したものであり、同時に、従来は２人以上の人手を要し極めて大変であった遺体への着せ付けを、女性１人でも簡単・容易かつスッキリと体裁よく出来るようにして、従来の着せ付けの大変さを画期的に緩和させることができたことを大きな特徴とするものである。【００１２】遺体は死後時間の経過で、顔の変色、特に首から胸先にかけての変色が顕著になるが、この点、従来佛衣は首から胸先にかけての部分がＶ形に明くため、首から胸先にかけての部分の変色が目立ってしまう課題があったが、
本考案ドレス型佛衣は、その対策としてドレス型佛衣の首周りの襟を詰襟状に高く備えることよって、首周りが襟で隠されて綺麗に見えるようにして課題を解決できた。
【課題を解決するための手段】
【００１３】本考案の請求項１の考案は、遺体の前面の首から下の全部を覆う前身頃と、該前身頃の上端の首周りに延設した詰襟状の襟と、前身頃の上端肩先の袖付から左右に延設した両袖と、前身頃の左右に延設して遺体の後面の首から下の全部を覆う左・右後身頃とを一連に仕立て、
前記襟の遺体の首後にまわした左・右端に結着テープを取付けると共に、左・右後身頃の縁部に沿い間隔を置いて結着テープを取付けて、襟の左・右端および左・右後身頃の縁部の各相対する結着テープを着脱自在に備えて、襟および後身頃を左右に全開き出来るように備えてなるドレス型佛衣であり、
前記ドレス型佛衣の襟および左・右後身頃の各結着テープを外し、襟および左・右後身頃を左右に全開きにした状態で、該ドレス型佛衣をその前身頃を中心として遺体の正面の首から下の全身を覆うように被せ、左・右の腕を左・右の袖に通し、遺体の各部を順に起しつつ襟および左・右後身頃を遺体の後面に差し込んで、襟および左・右後身頃の各相対結着テープを結着して、遺体にドレス型佛衣を着せ付けるように備えたしたことを特徴とする、ドレス型佛衣によって課題を解決ものである。【００１４】請求項２の考案は、前記ドレス型佛衣の両袖は、全体を広く備え、特に衿付の辺りを広く備えて、腕を通し易くしたことを特徴とする、請求項１のドレス型佛衣によって課題を解決したものである。【００１５】請求項３の考案は、前記の各相対して備えた結着テープを、少なくてもその一方を設定寸法の横長に備えて、その設定寸法の範囲で結着位置を調整することにより、遺体の肥満型、痩せ型等に合わせて着せ付け出来るようにしたことを特徴とする、請求項１のドレス型佛衣によって課題を解決したものである。【００１６】請求項４の考案は、前記ドレス型佛衣の設定位置に装飾を施したことを特徴とする、請求項１のドレス型佛衣によって課題を解決したものである。
【考案の効果】
【００１７】１．本考案は、佛衣背面の各結着テープを外して、佛衣の後左右身頃を全開きにして、その前身頃を中心として遺体の正面の首から下の全身を覆うように被せ、例えば、まず、右袖に右腕を通し、右肩を上げて後右身頃を右側半身の足元まで差し込み、次いで、左袖に左腕を通し、左肩を上げて後左身頃を左側半身の足元まで差し込み、次いで、衿の左右端の結着テープを首の後ろ側で、また後左右身頃の各結着テープを背中側で、それぞれ横長テープとの結着位置を調整して結着して着せ付けるようにしたので、
女性１人でも、遺体の極く一部を起こすだけで、硬直し重くなった遺体を持ち上げることなく、簡単・容易に着せ付け出来る優れた効果がある。
２．腕が硬直して袖に通し難くなるため、袖を広くして、特に、袖付け辺を広くして、腕を力づくで無理に曲げなくても、楽に通せるようにした特徴がある。
３．襟、後身頃に各相対して備えた結着テープは、少なくてもその一方を設定寸法の横長に備えて、その設定寸法の範囲で結着位置を調整することが出来るように備えたので、遺体の肥満型、痩せ型等に自在に合わせて結着位置を調整でき、よって、ダブつくことなしにスッキリと着せ付け出来る優れた特徴がある。
４．レース、スパンコール、ビーズ、刺繍などの装飾を、例えば、襟、胸元、袖口などの適宜箇所に施すことによって、ドレスを上品に、美しく、華麗に、或は清楚な外観に仕上げて、故人を荘厳することができる。
５．特に、首から胸先にかけての変色が先に進むため、その対策としてドレス型佛衣の首周りの襟を詰襟状に高く備え、それによって首周りが該襟で隠されて綺麗に見えるようにでき、よって、従来佛衣は首から胸先にかけての部分がＶ形に明くため、首から胸先にかけての部分の変色が目立ってしまう課題を解決できた。
【図面の簡単な説明】
【００１８】
【図１】図１は本考案ドレス型佛衣の正面概略図である。（実施例１）
【図２】図２は本考案ドレス型佛衣の背面概略図である。（実施例１）
【考案を実施するための形態】
【００１９】遺体の前面の首から下の全部を覆う前身頃１と、該前身頃１の上端の首周りに延設した詰襟状の襟４と、前身頃１の上端肩先の袖付から左右に延設した両袖５、５と、前身頃１の左右に延設して遺体の後面の首から下の全部を覆う左・右後身頃２、３とを一連に仕立て、前記襟４の遺体の首後にまわした左・右端に結着テープ６ａ、６ｂを取付けると共に、左・右後身頃の縁部に沿い間隔を置いて結着テープ６ｃ、６ｄを取付けて、襟の左・右端および左・右後身頃の縁部の各相対する結着テープ６ａ、６ｂ及び６ｃ、６ｄを着脱自在に備えて、襟４および左・右後身頃２、３を左右に全開き出来るように備えてなるドレス型佛衣Ａである。
【実施例１】
【００２０】  図１は本考案ドレス型佛衣の正面概略図であり、図２は本考案ドレス型佛衣の背面概略図である。
また、１は実施例のドレス型佛衣、２は、３は左・右後身頃、４は襟、５は袖、６ａ、６ｂ、６ｃ、６ｄは結着テープである。【００２１】本考案ドレス型佛衣Ａは、遺体の前面の首から下の全部を覆う前身頃１と、該前身頃１の上端の首周りに延設した詰襟状の襟４と、前身頃１の上端肩先の袖付から左右に延設した両袖５、５と、前身頃１の左右に延設して遺体の後面の首から下の全部を覆う左・右後身頃２、３とを一連に仕立て、【００２２】前記襟４の遺体の首後にまわした左・右端に結着テープ６ａ、６ｂを取付けると共に、左・右後身頃２、３の縁部に沿い間隔を置いて結着テープ６ｃ、６ｄを取付けて、襟４の左・右端および左・右後身頃の縁部の各相対する結着テープ６ａ、６ｂ及び６ｃ、６ｄを着脱自在に備えて、襟４および後身頃２、３を左右に全開閉できるように備えてなるドレス型佛衣Ａであり、【００２３】前記ドレス型佛衣１の襟４および左・右後身頃２、３の各結着テープ６ａ、６ｂ及び６ｃ、６ｄを外し、襟４および左・右後身頃２、３を左右に全開きにした状態で、該ドレス型佛衣Ａをその前身頃１を中心として遺体の正面の首から下の全身を覆うように被せ、左・右の腕を左・右の袖５、５に通し、遺体の左・右の肩先を起して襟４および左・右後身頃２、３を遺体の背中側に差し込んで、襟４および左・右後身頃２、３の各相対結着テープ６ａ、６ｂ及び６ｃ、６ｄを結着して、遺体にドレス型佛衣Ａを着せ付けるように備えたものである。【００２４】襟４を詰襟状に高く備えることによって、首から胸元の死後変色を覆い隠せるように備えたものである。
また、両袖５、５は、死後硬直した腕でも楽に通し易くするために全体を広く備え、特に衿付の辺りを広く備えたものである。【００２５】前記の各相対して備えた結着テープ６ａ、６ｂ及び６ｃ、６ｄは、少なくてもその一方を設定寸法（実施例、１０ｃｍ位）の横長に備えて、その設定寸法の範囲で結着位置を調整することにより、遺体の肥満型、痩せ型等に自在に合わせてダブつくことなしにスッキリと着せ付け出来るようにしたことを特徴とする。
なお、結着テープはフック状とパイル状とを着脱自在に噛み合わせる、市販の布製テープである。【００２６】本考案ドレス型佛衣Ａは、必要に応じて、レース、スパンコール、ビーズ、刺繍などの装飾７を、例えば、襟、胸元、袖口などの適宜箇所に施したものであり、それによって、ドレスを上品な、美しい、華麗な、或は清楚な外観に仕上げて、故人を荘厳することができるように備えたものである。【００２７】「着せ付け方の実施例」
本考案ドレス型佛衣Ａの、佛衣背面の各結着テープ６ａ、６ｂ及び６ｃ、６ｄを外して、ドレス型佛衣Ａの左・右後身頃２、３を全開きにして、前身頃１を中心として遺体の正面の首から下の全身を覆うように被せ、例えば、まず、右袖５に右腕を通し、右肩を上げて右後身頃２を右側半身の足元まで差し込み、次いで、左袖に左腕を通し、左肩を上げて左後身頃３を左側半身の足元まで差し込み、次いで、襟４の左右端の結着テープ６ａ、６ｂを首の後ろ側で、また左・右後身頃２、３の各結着テープ６ｃ、６ｄを背中側で、それぞれ横長テープとの結着位置を調整して結着して着せ付けるものである。【００２８】
【産業上の利用可能性】
【００２９】本考案ドレス型佛衣は、主として女性用を目的として考案したものであるが、デザイン、色彩、材質、装飾等を変えるなどによって、当然、子供用、男性用等、性別・年齢を問わず汎用し得るものである。
【符号の説明】
【００３０】Ａ  実施例ドレス型佛衣
１  前身頃
２  右後身頃
３  左後身頃
４  襟
５  袖
６ａ、６ｂ  左・右襟端の結着テープ
６ｃ、６ｄ  左・右後身頃縁辺の結着テープ
７  装飾
【図１】
0003155203.tif 000003
【図２】
0003155203.tif 000004